【事件の表示】
　特願２００９−５２７９１３「デジタルメディア記録装置に基づいた広告」拒絶査定不服審判事件〔平成２０年　３月２０日国際公開、ＷＯ２００８／０３２１８５、平成２２年　２月　４日国内公表、特表２０１０−５０４０１３〕について、次のとおり審決する。
【結　論】
　本件審判の請求は、成り立たない。
【理　由】
第１　手続の経緯・本願発明
１　手続の経緯
　本件出願は、２００７年（平成１９年）９月１３日（パリ条約による優先権主張外国庁受理２００６年９月１４日、米国）を国際出願日とする出願であって、平成２４年７月２６日付けで拒絶理由の通知がなされ、これに対し、平成２４年１０月３１日付けで誤訳訂正がなされたが、平成２５年４月１６日付け（発送日同年４月２３日）で拒絶査定がなされた。
　本件は、上記拒絶査定を不服として平成２５年８月２２日付けで請求された拒絶査定不服審判であり、当審において平成２６年５月２８日付けで拒絶理由の通知がなされ、これに対し、平成２６年１０月３０日付けで意見書が提出された。
　　
２　当審の拒絶理由の概要
　本件出願の請求項１〜２１に係る発明は、その出願前日本国内または外国において頒布された下記の刊行物に記載された発明に基づいて、その出願前にその発明の属する技術の分野における通常の知識を有する者が容易に発明をすることができたものであるから、特許法第２９条第２項の規定により特許を受けることができない。 
 　　 
 　　　　　　　　　　　　　　　　　記 
 　　刊行物１：特開２００６−５４７７３号公報 
 　　刊行物２：特開２００２−３００５２４号公報 
 　 
３　本願発明
　本願の請求項２１に係る発明（以下「本願発明」という。）は、特許請求の範囲の請求項２１に記載された事項によって特定されるものであり、次のとおりのものと認められる。
 　 
（Ａ）記録された番組のメディア内容に提供されている元の広告を有する前記記録された番組の再生の要求を、利用者から受信することと、
（Ｂ）前記記録された番組の再生開始に先立ち、少なくとも一つの代替広告を再生することと、
（Ｃ）前記記録された番組の再生に先立ち、前記少なくとも一つの代替広告を再生することと引き換えに、前記元の広告は、前記記録された番組の再生中に飛ばされることを特徴とし、前記記録された番組のメディア内容を再生することが、前記記録された番組が再生されるときに前記元の広告を自動的に飛ばして、前記記録された番組を前記利用者に提供することを特徴とする、前記元の広告の再生をせずに前記記録された番組のメディア内容を再生することと、
（Ｄ）からなるデジタルメディア記録装置の再生方法。
　　
（（Ａ）〜（Ｄ）は、当審で付与した。以下各構成要件を「構成要件Ａ」等という。）
　　
第２　刊行物の記載事項 
１　刊行物１
　当審の拒絶理由に引用された刊行物１（特開２００６−５４７７３号公報）には、図面と共に次に掲げる事項が記載されている。（下線は当審が付与した。）
　　
「【０００１】
　本発明は、テレビジョン放送された番組を録画して再生する際に、コマーシャル映像等の広告情報を適切に差し替えて再生するのに好適な録画再生装置、録画再生方法、ならびに、これらをコンピュータにて実現するプログラムに関する。」
　　
「【００５１】
　図４は、本実施形態に係る録画再生装置が、
ユーザからの指示によって録画された番組の再生を行う場合の再生処理の典型的な制御の流れを示すフローチャートである。
　【００５２】
　本処理が開始されると、録画再生装置１０１は、録画された番組に対して登録された情報が取得されているか否かを調べる（ステップＳ４０１）。取得されている場合（ステップＳ４０１；Ｙｅｓ）、
選択受付部２０６は、当該番組の見出し情報をハードディスク等から読み出して表示し（ステップＳ４０２）、いずれかの見出し情報を選択するように利用者に促して選択入力を受け付ける（ステップＳ４０３）。
　【００５３】
　
そして、断片再生部２０４は、録画された番組のうち、受け付けられた選択入力に対応付けられる見出し情報に対応する断片の再生を行う
　（ａ）当該見出しの位置から当該番組の次の見出しの位置までの放送内容。
　（ｂ）当該見出しの位置から当該見出しに割り当てられた時間長の放送内容。この場合、当該時間長は、当該見出し情報に付随して提供されるものとする。
　（ｃ）当該見出しの位置から、番組が完了するまでの放送内容。
　【００５４】
　さて、
この断片の再生の際には、まず、選択された見出し情報に対応付けられる見出し対応コマーシャルを取得する（ステップＳ４０４）。
　【００５５】
　つぎに、
再生すべき断片のうち、テレビジョン放送時にコマーシャルが放送された位置がいずれであるかを調べる（ステップＳ４０５）。
　【００５６】
　
そして、断片再生部２０４が、当該断片の再生を開始するが（ステップＳ４０６）、再生が進んでコマーシャルが放送された位置に至ったか否かを調べ（ステップＳ４０７）、至ったら（ステップＳ４０７；Ｙｅｓ）、断片の再生は一時停止して見出し対応コマーシャルの再生を行い（ステップＳ４０８）、その後に、断片のうちテレビジョン放送の際に再生されたコマーシャルをスキップして、続きの再生を行い（ステップＳ４０９）、断片の再生が完了するまで（ステップＳ４１０）、これを繰り返す。
　【００５７】
　一方、見出し情報等が取得できていないと判断された場合（ステップＳ４０１；Ｎｏ）には、番組再生部２０５が、録画された番組全体を順に最後まで再生する（ステップＳ４１１）。この場合には、コマーシャルの差替は行わない。なお、通常のハードディスクレコーダのコマーシャルスキップ再生機能がステップＳ４１１において利用できるようにしても良い。また、ステップＳ４０３において「見出しを使わずに番組全体を再生する」旨も選択できることとし、これが選択された場合にはステップＳ４１１に進むようにしても良い。」
　　
「　【００６３】
　このように、
「コマーシャルの差し替え」の手法としては、
見出しを使用した場合に再生冒頭に必ず見出し対応コマーシャルが再生されその後に番組の断片が再生される手法
が採用できる。
　　
２　刊行物２
　当審の拒絶理由に引用された刊行物２（特開２００２−３００５２４号公報）には、図面と共に次に掲げる事項が記載されている。（下線は当審が付与した。）
　　
「　　【００４８】
　図４はＨＤ−ＶＴＲの再編成部、録画部及び再生部の他の実施例の動作を示すフローチャートであり、図４（ａ）は録画時の再編成部及び録画部の動作例、図４（ｂ）は再生時の再編成部及び再生部の動作例を示す。
　　　【００４９】
　上記図２のブロック図及び図３のフローチャートでは再編成部３６は録画時にＣＭ群と部分番組群を分離してまとめ、シーケンシャルにビデオデータが記憶されるビデオ記憶媒体に記憶可能に構成した例を示したが、これに限定されない。
　　　【００５０】
　つまり、図２では録画／録画再生装置をＶＴＲとしたが、録画／録画再生装置３をハードディスクを用いたビデオレコーダ（ＨＤ−ＶＴＲ）としてもよい。この場合、ハードディスクはランダムアクセス可能に構成できる。ビデオ記憶媒体つまり、録画媒体としてハードディスクを用いた場合には、
録画時には入力シーケンスどおりに録画し、インデックス領域を設けて再編成部３６でＣＭ群及び部分画像のインデックスを編成するように構成し、再生時にインデックス領域を走査してＣＭコンテンツと番組コンテンツを再生するようにする。
　　　【００５１】
　再編成部３６は録画時にＣＰＵ３１の制御により再編成プログラム及びプロテクトプログラムを実行して映像データ入力部３５からの複数のＣＭ５１、５２、５３、・・・と部分番組６１、６２、６３、・・・のインデックスを編成する。また、この例では、ＴＶ放送局からの番組の先頭にＣＭ録画情報を挿入する必要はない。
　　　【００５２】
　図４（ａ）で、録画時に、再編成部３６はビデオ記憶媒体３８上に、プロテクト情報領域、ＣＭインデックス領域及び番組インデックス領域を確保する（ステップＴ１）。次に、録画部３７は映像データ入力部３５からの映像データをそのままビデオ信号に変換してビデオ記録媒体３８に順次書き込み、入力データが終わると録画処理を終了する（ステップＴ２）。
　　　【００５３】
　図４（ｂ）で、再生時に、再編成部３６は識別コードを調べ、ＣＭの識別コードが出現するとビデオ記録媒体３８に書き込まれたＣＭのアドレスを取得してビデオ記憶媒体３８上に確保したＣＭインデックス領域に書き込むと共にＣＭのサイズ計測を開始する。ＣＭの識別コードが出現しない場合はステップＴ５に遷移する（ステップＴ３）。また、計測した部分番組のサイズ（０以上の場合のみ）を前回書き込んだ部分番組のアドレスに対応させて番組インデックスに書き込む
（ステップＴ４）。
　　　【００５４】
　また、再編成部３６は識別コードを調べ、部分番組の識別コードが出現するとステップＴ６に遷移し、そうでない場合はステップＴ８に遷移する（ステップＴ５）。再編成部３６はビデオ記録媒体３８に書き込まれた部分番組のアドレスを取得してビデオ記憶媒体３８上に確保した番組インデックス領域に書き込むと共に部分番組のサイズ計測を開始する。部分番組の識別コードが出現しない場合はステップＴ７に遷移する（ステップＴ６）。また、計測したＣＭのサイズ（０以上の場合のみ）を前回書き込んだＣＭのアドレスに対応させてＣＭ番組インデックスに書き込む（ステップＴ７）。
　　　【００５５】
　再編成部３６はこれらステップＴ３、Ｔ４又はステップＴ５〜Ｔ７の動作を映像データ入力部３５からの入力データが終わるまで繰り返す（ステップＴ８）。また、映像データ入力部３５からの入力データが終わるとビデオ記憶媒体３８に確保されている番組プロテクト領域にプロテクトフラグ（＝オン）を書き込む（ステップＴ９）。
　　　【００５６】
　再生部３９は再生指示があると（ステップＴ１０）、番組プロテクトが解除（プロテクトコード＝「オフ」）されているか否かを調べ、番組プロテクトが解除されている場合はステップＴ１６に遷移する（ステップＴ１１）。プロテクトがされている場合はビデオ記憶媒体３８に確保されたＣＭインデックス領域を順次走査してＣＭの記憶アドレス及びサイズを取り出し、取り出したＣＭアドレスを検索してＣＭコンテンツを順次再生する（ステップＴ１２）。
　　　【００５７】
　番組プロテクトがされている場合、応答操作要求部４０はアンケート等の応答操作要求をＴＶ受信機２等のモニタ画面に表示し、ユーザの応答を求める。応答操作要求部４０は応答操作要求に対しユーザが所定時間応答を行わない場合はステップＴ１２に戻って最初のＣＭから再生を開始する。つまり、ユーザがＣＭコンテンツを全て閲覧しなければ、番組コンテンツ７３の再生は行わない（ステップＳ１３）。
　　　【００５８】
　次に、応答操作要求部４０は応答操作要求に対する応答が全て終了したか否かを判定し、応答操作要求に対する応答が全て終了した場合、つまり、ＣＭの閲覧が終了するとＴ１５に遷移し、そうでない場合は次のＣＭを再生するためにステップＴ１２に戻る（ステップＴ１４）。
　　　【００５９】
　
ＣＭの閲覧が終了すると番組プロテクトを解除する（ステップＴ１５）。再生部３９はビデオ記憶媒体３８に確保された番組インデックス領域を順次走査して部分番組の記憶アドレス及びサイズを取り出し、取り出した部分番組を検索して番組コンテンツを順次再生する（ステップＴ１６）。
　　　【００６０】
　上記図２と、図３又は図４のフローチャートから明らかなようにユーザはＣＭを閲覧しなければ番組本編を閲覧できない。また、ＣＭ閲覧時に表示される応答操作要求に応答しなければ先に進めないのでＣＭを見ざるを得ず、ＣＭのユーザ達成率が極めて向上する。
　　　【００６１】
　また、上記図３（ｂ）及び図４（ｂ）のフローチャートに示すように、録画／録画再生装置３は、プロテクトが解除された番組コンテンツ及びプロテクトがされていない通常のコンテンツ（例えば、従来のＶＴＲで録画したビデオ記憶媒体や貸しビデオ店で借りたビデオ記憶媒体に録画されているコンテンツ）はそのまま再生することができる。」
　　
第３　対比
１　刊行物１に記載された発明
　段落【００５１】〜【００５７】には、録画再生装置における、ユーザからの指示によって録画された番組の再生を行う場合の再生処理の制御が記載されており、これは、録画再生装置の再生方法といえる。
　この再生処理制御は、当該番組の見出し情報をハードディスク等から読み出して表示し、いずれかの見出し情報を選択するように利用者に促して選択入力を受け付け（段落【００５２】）、
　録画された番組のうち、受け付けられた選択入力に対応付けられる見出し情報に対応する断片の再生の際には、まず、選択された見出し情報に対応付けられる見出し対応コマーシャルを取得し（段落【００５４】）、
　再生すべき断片のうち、テレビジョン放送時にコマーシャルが放送された位置がいずれであるかを調べ（段落【００５５】）、
　当該断片の再生を開始し、再生が進んでコマーシャルが放送された位置に至ったか否かを調べ、至ったら、断片の再生は一時停止して見出し対応コマーシャルの再生を行い、その後に、断片のうちテレビジョン放送の際に再生されたコマーシャルをスキップして、続きの再生を行い、断片の再生が完了するまで、これを繰り返す（段落【００５６】）。
　そして、段落【００６３】には、『「コマーシャルの差し替え」の手法としては、見出しを使用した場合に再生冒頭に必ず見出し対応コマーシャルが再生されその後に番組の断片が再生される手法、が採用できる』ことが記載されている。
　この『「コマーシャルの差し替え」の手法としては、見出しを使用した場合に再生冒頭に必ず見出し対応コマーシャルが再生されその後に番組の断片が再生される手法』を採用した録画再生装置の再生方法を刊行物１に記載された発明（以下「刊行物１発明」という。）として認定する。
　刊行物１発明は、コマーシャルの差し替えとして、「再生冒頭に必ず見出し対応コマーシャルが再生されその後に番組の断片が再生される」のであるから、断片の再生においては、断片のうちテレビジョン放送の際に再生されたコマーシャルをスキップして、再生を行うものと認められる。
　したがって、刊行物１発明は次のとおりのものと認められる。
　　
「ユーザからの指示によって録画された番組の再生を行う場合の録画再生装置の再生方法であって、
　当該番組の見出し情報をハードディスク等から読み出して表示し、いずれかの見出し情報を選択するように利用者に促して選択入力を受け付け、
　録画された番組のうち、受け付けられた選択入力に対応付けられる見出し情報に対応する断片の再生の際には、まず、選択された見出し情報に対応付けられる見出し対応コマーシャルを取得し、
　再生すべき断片のうち、テレビジョン放送時にコマーシャルが放送された位置がいずれであるかを調べ、
　再生冒頭に見出し対応コマーシャルが再生されその後に、
　当該断片の再生を開始し、再生が進んでコマーシャルが放送された位置に至ったか否かを調べ、至ったら、断片のうちテレビジョン放送の際に再生されたコマーシャルをスキップして、続きの再生を行い、断片の再生が完了するまで、これを繰り返す
　録画再生装置の再生方法。」
　　
２　対比
　本願発明と刊行物１発明とを対比する。
　　
（１）構成要件Ａ
　刊行物１発明は、
「当該番組の見出し情報をハードディスク等から読み出して表示し、いずれかの見出し情報を選択するように利用者に促して選択入力を受け付け、
　録画された番組のうち、受け付けられた選択入力に対応付けられる見出し情報に対応する断片の再生」するものであり、「見出し情報を選択する」ことは、「断片の再生」の要求といえる。そして、「断片」は、「録画された番組」の一部であり、「テレビジョン放送の際に再生されたコマーシャル」を有している。
　したがって、刊行物１発明は、「記録された番組のメディア内容に提供されている元の広告を有する前記記録された情報の再生の要求を、利用者から受信すること」からなる点で、本願発明と共通する。
　しかしながら、「情報」が本願発明においては「番組」であるのに対し、刊行物１発明においては番組の一部である「断片」である点で相違する。
　　
（２）構成要件Ｂ
　刊行物１発明は、
「録画された番組のうち、受け付けられた選択入力に対応付けられる見出し情報に対応する断片の再生の際には、・・・再生冒頭に見出し対応コマーシャルが再生されその後に　当該断片の再生を開始」するものであり、「見出し対応コマーシャル」は、テレビジョン放送時のコマーシャルとは異なるものであるから、「代替広告」といえる。
　したがって、刊行物１発明は、「前記記録された情報の再生開始に先立ち、少なくとも一つの代替広告を再生すること」からなる点で、本願発明と共通する。
　もっとも、「情報」が相違する点は、上記（１）のとおりである。
　　
（３）構成要件Ｃ
　刊行物１発明は、
「当該断片の再生を開始し、再生が進んでコマーシャルが放送された位置に至ったか否かを調べ、至ったら、断片のうちテレビジョン放送の際に再生されたコマーシャルをスキップして、続きの再生を行い、断片の再生が完了するまで、これを繰り返す」ものであり、「前記元の広告の再生をせずに、前記記録された情報のメディア内容を再生すること」からなる点で本願発明と共通し、「前記記録された情報のメディア内容を再生することが、前記記録された情報が再生されるときに前記元の広告を自動的に飛ばして、前記記録された情報を前記利用者に提供すること」で本願発明と共通する。
　もっとも、「情報」が相違する点は、上記（１）のとおりである。
　また、刊行物１発明は、
「再生冒頭に見出し対応コマーシャルが再生されその後に、
　当該断片の再生を開始し、再生が進んでコマーシャルが放送された位置に至ったか否かを調べ、至ったら、断片のうちテレビジョン放送の際に再生されたコマーシャルをスキップして、続きの再生を行い、断片の再生が完了するまで、これを繰り返す」ものである。
　「見出し対応コマーシャル」が「代替広告」といえることは上記（２）のとおりであり、（断片の）再生冒頭に見出し対応コマーシャルが再生されその後に、当該断片の再生を開始し、断片のうちテレビジョン放送の際に再生されたコマーシャルをスキップして、再生を行うことは、「前記記録された情報の再生に先立ち、前記少なくとも一つの代替広告を再生することと引き換えに、前記元の広告は、前記記録された情報の再生中に飛ばされること」という点で本願発明と共通する。
　もっとも、「情報」が相違する点は、上記（１）のとおりである。
　　
　以上をまとめると、刊行物１発明は、
「前記記録された情報の再生に先立ち、前記少なくとも一つの代替広告を再生することと引き換えに、前記元の広告は、前記記録された情報の再生中に飛ばされることを特徴とし、前記記録された情報のメディア内容を再生することが、前記記録された情報が再生されるときに前記元の広告を自動的に飛ばして、前記記録された情報を前記利用者に提供することを特徴とする、前記元の広告の再生をせずに前記記録された情報のメディア内容を再生すること」からなる点で、本願発明と共通する。
　もっとも、「情報」が相違する点は、上記（１）のとおりである。
　　
（４）構成要件Ｄ
　刊行物１発明における「録画再生装置の再生方法」は、本願発明における「デジタルメディア記録装置の再生方法」に相当する。
　　
３　一致点、相違点
　以上より、本願発明と引用発明との一致点、相違点は、次のとおりである。
　　
（一致点）
　記録された番組のメディア内容に提供されている元の広告を有する前記記録された情報の再生の要求を、利用者から受信することと、
　前記記録された情報の再生開始に先立ち、少なくとも一つの代替広告を再生することと、
　前記記録された情報の再生に先立ち、前記少なくとも一つの代替広告を再生することと引き換えに、前記元の広告は、前記記録された情報の再生中に飛ばされることを特徴とし、前記記録された情報のメディア内容を再生することが、前記記録された情報が再生されるときに前記元の広告を自動的に飛ばして、前記記録された情報を前記利用者に提供することを特徴とする、前記元の広告の再生をせずに前記記録された情報のメディア内容を再生することと、
　からなるデジタルメディア記録装置の再生方法。　
　　
（相違点）
「情報」が、本願発明においては「番組」であるのに対し、刊行物１発明においては番組の一部である「断片」である点。　　
　　
第４　判断
　刊行物２の段落【００４８】〜【００６１】には、番組全体を再生する際に番組内のＣＭコンテンツを先に再生してから番組コンテンツを再生することが示されている。
　刊行物１発明及び刊行物２に記載された技術は、広告を含む番組を再生する技術であるから、刊行物１発明に刊行物２に記載された技術を適用することは当業者が容易に着想することである。
　そして、録画再生装置においては、番組全体を再生することは普通のことであるから、刊行物１発明において、番組全体を再生するようにし、その際に刊行物２に記載された技術を勘案して、断片の冒頭で再生していた見出し対応コマーシャル（代替広告）を番組の冒頭で再生するようにし、本願発明のようにすることは当業者が容易に想到し得ることである。
　　
　そして、本願発明が奏する効果は、その容易想到である構成から当業者が容易に予測し得る範囲内のものであり、同範囲を超える顕著なものでもない。
　　
第５　むすび
　以上のとおり、本願の請求項２１に係る発明は、刊行物１及び刊行物２に記載された発明に基づいて当業者が容易に発明をすることができたものであるから、特許法２９条２項の規定により特許を受けることができない。 
　　
　したがって、本願は、他の請求項について検討するまでもなく、拒絶すべきものである。
　　
　よって、結論のとおり審決する。